(57)【要約】【課題】ファンモータの固定作業性における作業性を向上することができるファンモータ固定部材及びこのファンモータ固定部材を備えた空気調和装置の室外機の提供。【解決手段】ファンモータ固定部材３７は、固定部材本体３７１と、下部仮支持部３７２と、上部仮支持部３７３とを備える。固定部材本体３７１には、ファン３５の駆動源としてのファンモータ３６が固定される。下部仮支持部３７２は、ファンモータ３６が固定部材本体３７１に固定される動作の際にファンモータ３６の下部に当接し、ファンモータ３６を仮支持する。上部仮支持部３７３は、ファンモータ３６が固定部材本体３７１に固定される動作の際にファンモータ３６の上部に当接し、ファンモータ３６を仮支持する。【選択図】図４
2009097727.tif 000002
【特許請求の範囲】
【請求項１】
ファンの駆動源としてのファンモータ（３６）が固定される固定部材本体（３７１）と、
前記ファンモータ（３６）が前記固定部材本体（３７１）に固定される動作の際に前記ファンモータ（３６）の下部に当接し、前記ファンモータ（３６）を仮支持する下部仮支持部（３７２）と、
前記ファンモータ（３６）が前記固定部材本体（３７１）に固定される動作の際に前記ファンモータ（３６）の上部に当接し、前記ファンモータ（３６）を仮支持する上部仮支持部（３７３）と、
を備える、ファンモータ固定部材（３７）。
【請求項２】
前記固定部材本体（３７１）には、前記ファンモータ（３６）が挿入されるための開口（３７１ａ）が形成されており、
前記ファンモータ（３６）が前記固定部材本体（３７１）の正面側から前記開口（３７１ａ）に挿入された時、前記上部仮支持部（３７３）及び前記下部仮支持部（３７２）は、前記ファンモータ（３６）の重心よりも前記ファンモータ（３６）の挿入方向前方で前記ファンモータ（３６）を仮支持する、
請求項１に記載のファンモータ固定部材（３７）。
【請求項３】
前記上部仮支持部（３７３）は、前記下部仮支持部（３７２）よりも前記ファンモータ（３６）の挿入方向前方で前記ファンモータ（３６）を仮支持する、
請求項２に記載のファンモータ固定部材（３７）。
【請求項４】
前記上部仮支持部（３７３）は、
前記固定部材本体（３７１）から前記ファンモータ（３６）の挿入方向に突出する突出部（３７３ａ）と、
前記突出部（３７３ａ）から下方に延びている下方部（３７３ｂ）と、
を有する、請求項２または３に記載のファンモータ固定部材（３７）。
【請求項５】
前記固定部材本体（３７１）、前記上部仮支持部（３７３）及び前記下部仮支持部（３７２）が一体形成されている、
請求項１〜４のいずれかに記載のファンモータ固定部材（１）。
【請求項６】
請求項１〜５のいずれかに記載のファンモータ固定部材（１）と、
前記固定部材本体（３７１）に固定される前記ファンモータ（３６）により駆動される前記ファン（３５）と、
前記ファン（３５）の回転により発生する空気流との間で熱交換を行う熱交換器（３２）と、
を備える、空気調和装置の室外機（３）。
【発明の詳細な説明】
【技術分野】
【０００１】
本発明は、ファンモータ固定部材に関する。また、本発明は、ファンモータ固定部材を備えた空気調和装置の室外機に関する。
【背景技術】
【０００２】
従来より、空気調和装置の室外機に備えられているファンの動力源として、ファンモータが用いられている。ファンモータは、室外機のケーシング内部に設けられたファンモータ固定部材に固定される。一般的に、ファンモータのファンモータ固定部材への固定作業が作業者により行われる際、作業者は、ファンモータがファンモータ固定部材の固定位置からずれないように、ファンモータ固定部材に対しファンモータを押さえながら固定作業を行う。しかし、このようにして固定作業が行われると、作業効率が低下してしまう。
【０００３】
そこで、特許文献１に開示されているように、ファンモータを一時的に固定させる仮支持部をファンモータ固定部材に設けることで、ファンモータ固定部材に対しファンモータを押さえずとも固定作業を行うことができる技術が知られている。
【特許文献１】特開２００６−２９２１９６号公報
【発明の開示】
【発明が解決しようとする課題】
【０００４】
ところで、ファンモータの下部からは、ファンモータを回転駆動させる駆動信号等の伝送用配線（以下、ワイヤハーネスという）が下方に延びている。しかしながら、特許文献１では、仮支持部は、ファンモータの重心よりもモータ挿入方向後方（即ち、ファンモータ固定部材の正面側）でファンモータの下部を支持するように設けられている。このような仮支持部によりファンモータがファンモータ固定部材に一時的に固定されると、ワイヤハーネスが仮支持部に接触してしまい、ファンモータのファンモータ固定部材への固定作業に支障をきたす恐れがある。また、ワイヤハーネスが仮支持部に接触することで、ワイヤハーネスが擦れて断線してしまう場合もある。
【０００５】
そこで、本発明は、ファンモータの固定作業における作業性を向上することができるファンモータ固定部材及びこのファンモータ固定部材を備えた空気調和装置の室外機の提供を目的とする。
【課題を解決するための手段】
【０００６】
発明１に係るファンモータ固定部材は、固定部材本体と、下部仮支持部と、上部仮支持部とを備える。固定部材本体には、ファンの駆動源としてのファンモータが固定される。下部仮支持部は、ファンモータが固定部材本体に固定される動作の際にファンモータの下部に当接し、ファンモータを仮支持する。上部仮支持部は、ファンモータが固定部材本体に固定される動作の際にファンモータの上部に当接し、ファンモータを仮支持する。
【０００７】
このファンモータ固定部材によると、ファンモータが固定部材本体に固定される動作の際には、ファンモータは上部仮支持部及び下部仮支持部により固定部材本体に一時的に支持される。従って、ファンモータの固定作業の際、ファンモータがファンモータ固定部材から脱落することを抑制できると共に、固定作業の作業性を向上させることができる。
【０００８】
発明２に係るファンモータ固定部材は、発明１に係るファンモータ固定部材であって、固定部材本体には、ファンモータが挿入されるための開口が形成されている。ファンモータが固定部材本体の正面側から開口に挿入された時、上部仮支持部及び下部仮支持部は、ファンモータの重心よりもファンモータの挿入方向前方でファンモータを仮支持する。
【０００９】
このファンモータ固定部材によると、ファンモータが固定部材本体に固定される動作の際、ファンモータは、モータ挿入方向後方の部分よりも前方の部分が上側となるように傾き、上部仮支持部及び下部仮支持部により支持された状態となる。
【００１０】
発明３に係るファンモータ固定部材は、発明２に係るファンモータ固定部材であって、上部仮支持部は、下部仮支持部よりもファンモータの挿入方向前方でファンモータを仮支持する。
【００１１】
このファンモータ固定部材によると、ファンモータの下部から下方に延びるワイヤハーネスは、下部仮支持部に接触しにくくなるため、作業性がより向上する。
【００１２】
発明４に係るファンモータ固定部材は、発明２または３に係るファンモータ固定部材であって、上部仮支持部は、突出部と下方部とを有する。突出部は、固定部材本体からファンモータの挿入方向に突出する。下方部は、突出部から下方に延びている。
【００１３】
このファンモータ固定部材によると、ファンモータが固定部材本体に固定される動作の際、上部仮支持部の下方部がファンモータに当接するようになる。
【００１４】
発明５に係るファンモータ固定部材は、発明１〜４のいずれかに係るファンモータ固定部材であって、固定部材本体、上部仮支持部及び下部仮支持部が一体形成されている。
【００１５】
このファンモータ固定部材によると、上部仮支持部、下部仮支持部及び固定部材本体を、同じ材質でかつ同時に形成することができ、製造コストを低減させることができる。
【００１６】
発明６に係る空気調和装置の室外機は、ファンモータ固定部材と、ファンと、熱交換器とを備える。ファンモータ固定部材は、発明１〜５のいずれかに係るファンモータ固定部材であって、ファンは、ファンモータ固定部材の固定部材本体に固定されるファンモータにより駆動される。熱交換器は、ファンの回転により発生する空気流との間で熱交換を行う。
【００１７】
この空気調和装置の室外機によると、発明１〜５と同様の効果を奏することができる。
【発明の効果】
【００１８】
発明１に係るファンモータ固定部材によると、ファンモータの固定作業の際、ファンモータがファンモータ固定部材から脱落することを抑制できると共に、固定作業の作業性を向上させることができる。
【００１９】
発明２に係るファンモータ固定部材によると、ファンモータが固定部材本体に固定される動作の際、ファンモータは、モータ挿入方向後方の部分よりも前方の部分が上側となるように傾き、上部仮支持部及び下部仮支持部により支持された状態となる。
【００２０】
発明３に係るファンモータ固定部材によると、ファンモータの下部から延びるワイヤハーネスは、下部仮支持部に接触しにくくなるため、作業性がより向上する。
【００２１】
発明４に係るファンモータ固定部材によると、ファンモータが固定部材本体に固定される動作の際、上部仮支持部の下方部がファンモータに当接するようになる。
【００２２】
発明５に係るファンモータ固定部材によると、上部仮支持部、下部仮支持部及び固定部材本体を、同じ材質でかつ同時に形成することができ、製造コストを低減させることができる。
【００２３】
発明６に係る空気調和装置の室外機によると、発明１〜５と同様の効果を奏することができる。
【発明を実施するための最良の形態】
【００２４】
以下、本発明に係るファンモータ固定部材及びこれを備えた空気調和装置の室外機について、図面を用いて説明する。
【００２５】
（１）空気調和装置の構成
図１は、本発明の一実施形態に係る空気調和装置１の外観図である。図１の空気調和装置１は、室内の壁面等に取り付けられている室内機２と、室外に設置されている室外機３とに分かれて構成されており、室内の冷房運転や暖房運転等を行うことができる。
【００２６】
室内機２の内部には、室内熱交換器（図示せず）等が収納され、室外機３の内部には、後述する室外熱交換器３２や圧縮機３３等が収納されている。そして、室内機２の室内熱交換器と室外機３の室外熱交換器３２とは、冷媒配管４を介して接続されている。
【００２７】
（２）室外機の構成
次に、本実施形態に係る室外機３の構成について説明する。室外機３は、図２に示すように、主として、ケーシング３１、室外熱交換器３２、圧縮機３３、電装品ユニット３４、ファン３５、ファンモータ３６及びファンモータ固定部材３７を備える。
【００２８】
ケーシング３１は、図１に示すように、略直方体の形状を有しており、板金と樹脂によって形成されている。ケーシング３１の内部は、図２に示すように、略鉛直方向に延びる仕切板３１ａにより機械室Ｓ１と送風室Ｓ２とに分割されている。機械室Ｓ１には、圧縮機３３や電装品ユニット３４が設置され、送風室Ｓ２には、室外熱交換機３２、ファン３５、ファンモータ３６及びファンモータ固定部材３７が設置されている。
【００２９】
室外熱交換器３２は、ファン３５の回転により発生する空気流との間で熱交換を行うものであって、略Ｌ字形状を有し、ケーシング３１の左側面から背面に向かうように配置されている。
【００３０】
圧縮機３３は、冷媒配管４内を流れる冷媒を圧縮するためのものであって、機械室Ｓ１内のうち仕切板３１ａの近傍かつ電装品ユニット３４の下側に配置されている。圧縮機３３は、圧縮機用モータ（図示せず）により駆動される。
【００３１】
電装品ユニット３４は、機械室Ｓ１において圧縮機３３の上側に配置されており、複数の電装品が実装された制御基板やトランス等を有している。制御基板からは、圧縮機用モータ及びファンモータ３６等の各種モータに供給される電源電圧、各種モータを駆動させるための駆動信号等が出力される。
【００３２】
ファン３５は、複数枚の羽根を有するプロペラファンであって、室外熱交換器３２により熱交換された空気を室外機３の外部に送る。ファンモータ３６は、ファン３５の回転駆動源であって、略円柱状の形状を有しており、その回転軸３６ａはファン３５に接続されている。従って、ファン３５は、ファンモータ３６の回転が回転軸３６ａを介して伝達されることにより回転することができる。そして、ファンモータ３６の下部からは、図３に示すように、電装品ユニット３４から出力される電源電圧や駆動信号等の伝送用配線であるワイヤハーネス３６１が下方に延びている。また、ファンモータ３６の外周部には、図３（ｂ）及び図５（ａ）に示すように、ファンモータ３６をファンモータ固定部材３７の固定部材本体３７１に４本のネジで固定するための４つの固定部３６ｂ，３６ｃ，３６ｄ，３６ｅが設けられている。本実施形態では、４つの固定部３６ｂ〜３６ｅは、ファンモータ３６の外周部に、ほぼ等間隔に設けられている。
【００３３】
（２−１）ファンモータ固定部材
次に、本実施形態に係るファンモータ固定部材３７について説明する。ファンモータ固定部材３７は、ファンモータ３６やファン３５を支持するための部材であって、図２に示すように、室外熱交換器３２に取り付けられている。このファンモータ固定部材３７には、室外熱交換器３２の上方において、室外熱交換器３２側からケーシング３１の内部方向に向かって突出する突出部分３７ａが形成されている。突出部分３７ａの突出方向の先端部分３７ｂは、突出方向前方におけるケーシング３１の上側端部（図２では図示せず。即ち、ケーシング３１の上側端部とは、図２において取り外されているケーシング３１の一部のうち、突出部分３７ａの先端部分３７ｂに対応する部分）に係合されることが可能なように、下側に向かって折り曲げられている。
【００３４】
このようなファンモータ固定部材３７は、図３や図４に示すように、固定部材本体３７１、下部仮支持部３７２及び上部仮支持部３７３を備えている。
【００３５】
固定部材本体３７１は、ファンモータ３６が固定される部分であって、ファンモータ３６が挿入されるための開口３７１ａが形成されている。開口３７１ａは、図３（ａ）に示すように、ファンモータ３６が有する円形形状の側面に沿った略円形の第１部分Ｒ１、円形部分の上部から上方に突出した略矩形状の第２部分Ｒ２、及び円形部分の下部から下方に突出した略矩形の第３部分Ｒ３を組み合わせた形状を有している。この開口３７１ａには、固定部材本体３７１の正面側からファンモータ３６が挿入され固定されるが、ファンモータ３６が固定された時、固定部３６ｂ〜３６ｅを除くファンモータ３６の外周部分が開口３７１ａの縁部から所定距離離れるように（図５（ａ））、開口３７１ａはファンモータ３６の円形形状の側面よりも若干大きい面積を有している。具体的に、ファンモータ３６の外周部分と開口３７１ａの縁部とが離れる所定距離としては、例えば１ｍｍ〜２ｍｍが挙げられる。また、固定部材本体３７１の開口３７１ａ近傍には、図３に示すように、４つのネジ孔３７１ｂ，３７１ｃ，３７１ｄ，３７１ｅが設けられている。ネジ孔３７１ｂ〜３７１ｅは、ファンモータ３６を固定する時に用いられる４本のネジがそれぞれ係合するための孔であって、ファンモータ３６の固定部３６ｂ〜３６ｅそれぞれに対応する位置に設けられている。
【００３６】
下部仮支持部３７２は、固定部材本体３７１における開口３７１ａ縁部の下部に位置しており、ファンモータ３６が固定部材本体３７１に固定される動作の際にファンモータ３６の下部に当接し、ファンモータ３６を仮支持する。即ち、本実施形態に係る下部仮支持部３７２は、固定部材本体３７１における開口３７１ａ縁部の一部分で構成されている。
【００３７】
上部仮支持部３７３は、固定部材本体３７１における開口３７１ａ縁部の上部に位置しており、ファンモータ３６が固定部材本体３７１に固定される動作の際にファンモータ３６の上部に当接し、ファンモータ３６を仮支持する。特に、本実施形態に係る上部仮支持部３７３は、突出部３７３ａと下方部３７３ｂとを有している。突出部３７３ａは、固定部材本体３７１からファンモータ３６の挿入方向に突出しており（図３（ｂ）や図４）、下方部３７３ｂは、突出部３７３ａから下方に延びている。より具体的には、下方部３７３ｂは、突出部３７３ａの固定部材本体３７１側端部とは逆側の端部から下方に延びている。即ち、上部仮支持部３７３は、略Ｌ字形状を有している。
【００３８】
このような下部仮支持部３７２及び上部仮支持部３７３は、ファンモータ３６が固定部材本体３７１の正面側から開口３７１ａに挿入された時、図４に示すように、ファンモータ３６の重心Ｐ１よりもファンモータ３６の挿入方向前方でファンモータ３６を仮支持する。そして、上部仮支持部３７３は、下部仮支持部３７２よりもファンモータ３６の挿入方向前方でファンモータ３６を仮支持する。より具体的には、本実施形態では、ファンモータ３６は、その重心Ｐ１が図４における固定部材本体３７１の右側（即ち、固定部材本体３７１よりもモータの挿入方向後方）に位置するように開口３７１ａに挿入される。すると、ファンモータ３６は、ファンモータ３６のうちモータの挿入方向前方側の部分（即ち、図４のファンモータ３６の左側部分）が上方、モータの挿入方向後方側の部分（即ち、図４のファンモータ３６の右側部分）が下方となるように傾く。この時、下部仮支持部３７２は、ファンモータ３６の外周部分の下部に当接し、上部仮支持部３７３は、上方に傾いているファンモータ３６の外周部分に当接する。これにより、ファンモータ３６は、固定部材本体３７１に仮支持された状態となる。
【００３９】
また、固定部材本体３７１、下部仮支持部３７２及び上部仮支持部３７３は、一体形成される。図６は、固定部材本体３７１、下部仮支持部３７２及び上部仮支持部３７３が一体形成される過程を説明するための図である。図６に示すように、先ずは略矩形状の金属において実線部分Ａに沿って切り抜かれることで、固定部材本体３７１の開口３７１ａの一部、下部仮支持部３７２、及び上部仮支持部３７３の一部分が形成され、実線部分Ｂに沿って切り抜かれることでネジ孔３７１ｂ〜３７１ｅが形成される。次いで、２本の実線部分Ｃに沿って切り込みを入れられることで、上部仮支持部３７３の残りの部分が形成され、点線部分Ｄで折り曲げられることで、上部仮支持部３７３の突出部３７３ａ及び下方部３７３ｂ、開口３７１ａの残りの部分が形成される。また、点線部分Ｅで折り曲げられることで、固定部材本体３７１の上側端部及び下側端部が形成される。
【００４０】
（２−２）ファンモータのファンモータ固定部材への取り付け方法
ここで、本実施形態に係るファンモータ３６をファンモータ固定部材３７に取り付ける方法について説明する。
【００４１】
先ず、図３（ｂ）に示すように、ファンモータ３６を、固定部材本体３７１の正面側から開口３７１ａに挿入する。この時、ファンモータ３６は、ワイヤハーネス３６１がモータの挿入方向前方となり回転軸３６ａがモータの挿入方向後方となるように開口３７１ａに挿入される。尚、ファンモータ３６を開口３７１ａに挿入する際、ワイヤハーネス３６１を開口３７１ａに通すことで、ワイヤハーネス３６１を固定部材本体３７１に対しモータの挿入方向の前方側に位置させる（図４）。すると、ファンモータ３６の重心Ｐ１は下部仮支持部３７２及び上部仮支持部３７３よりもモータの挿入方向後方に位置する状態となり、ファンモータ３６は、モータの挿入方向前方側が上側となるように傾く。そして、ファンモータ３６の外周部は各仮支持部３７２，３７３に当接する。この時、ワイヤハーネス３６１は、下部仮支持部３７２に接触せず、下方に延びた状態となる。
【００４２】
次いで、４本のネジを、ファンモータ３６の固定部３６ｂ〜３６ｅを介して固定部材本体３７１のネジ孔３７１ｂ〜３７１ｅに嵌め合わせることで、ファンモータ３６を固定部材本体３７１に固定する。この時、ファンモータ３６は、各仮支持部３７２，３７３に当接していた外周部の部分が各仮支持部３７２，３７３から離れ、かつ固定部３６ｂ〜３６ｅを除く外周部が開口３７１ａから所定距離離れた状態で、ファンモータ固定部材３７に固定される。
【００４３】
（３）効果
（ａ）
本実施形態に係るファンモータ固定部材３７によると、ファンモータ３６が固定部材本体３７１に固定される動作の際には、ファンモータ３６は下部仮支持部３７２及び上部仮支持部３７３により固定部材本体３７１に一時的に支持される。従って、ファンモータ３６の固定作業の際、ファンモータ３６がファンモータ固定部材３７から脱落することを抑制できると共に、固定作業の作業性を向上させることができる。
【００４４】
（ｂ）
また、ファンモータ固定部材３７によると、ファンモータ３６が固定部材本体３７１に固定される動作の際、ファンモータ３６は、モータ挿入方向後方の部分よりも前方の部分が上側となるように傾き、上部仮支持部３７３及び下部仮支持部３７２により支持された状態となる。
【００４５】
（ｃ）
また、ファンモータ固定部材３７によると、上部仮支持部３７３は、下部仮支持部３７２よりもファンモータ３６の挿入方向前方でファンモータ３６を仮支持する。これにより、ファンモータ３６の下部から延びるワイヤハーネス３６１は、下部仮支持部３７２に接触しにくくなるため、作業性がより向上する。
【００４６】
（ｄ）
また、ファンモータ固定部材３７の上部仮支持部３７３は、固定部材本体３７１からファンモータ３６の挿入方向に突出する突出部３７３ａと、突出部３７３ａから下方に延びる下方部３７３ｂとを有する。これにより、ファンモータ３６が固定部材本体３７１に固定される動作の際、上部仮支持部３７３の下方部３７３ｂがファンモータ３６に当接するようになる。
【００４７】
（ｅ）
また、ファンモータ３６の固定部材本体３７１、下部仮支持部３７２及び上部仮支持部３７３は一体形成されている。従って、固定部材本体３７１、下部仮支持部３７２及び上部仮支持部３７３を、同じ材質でかつ同時に形成することができるため、製造コストを低減させることができる。
【００４８】
＜その他の実施形態＞
（Ａ）
上記実施形態では、固定部材本体３７１の開口３７１ａが、略円形の第１部分Ｒ１を一部分として有している形状である場合を例に取り説明した。しかし、本発明に係る開口の形状はこれに限定されない。開口は、ファンモータ３６が挿入可能であればどのような形状であってもよい。開口のその他の形状としては、例えば矩形の形状が挙げられる。
【００４９】
（Ｂ）
上記実施形態では、上部仮支持部３７３が略Ｌ字型の形状を有している場合を例に取り説明した。しかし、本発明に係る上部仮支持部の形状はこれに限定されない。上部仮支持部は、ファンモータ３６の上部に当接しファンモータ３６を仮支持する形状であれば、Ｌ字型の形状以外であってもよい。上部仮支持部のその他の形状としては、例えばＴ字型の形状等が挙げられる。
【００５０】
（Ｃ）
上記実施形態では、下部仮支持部３７２が開口３７１ａ縁部の一部分で構成されている場合を例に採り説明した。しかし、本発明に係る下部仮支持部の形状はこれに限定されにない。下部仮支持部は、ファンモータ３６から下方に延びるワイヤハーネス３６１に接触することなく、ファンモータ３６下部に当接してファンモータ３６を仮支持できる形状であれば、どのような形状であってもよい。
【産業上の利用可能性】
【００５１】
本発明に係るファンモータ固定部材は、ファンモータの固定作業の際、ファンモータがファンモータ固定部材から脱落することを抑制できると共に、固定作業の作業性を向上させる効果を有し、空気調和装置の室外機におけるファンモータが固定されるためのファンモータ固定部材として有用である。
【図面の簡単な説明】
【００５２】
【図１】本実施形態に係る空気調和装置の外観図。
【図２】ケーシングの一部が取り外された室外機の外観図。
【図３】（ａ）ファンモータが固定される前のファンモータ固定部材を裏側から見た場合の図。  （ｂ）ファンモータとファンモータが固定される前のファンモータ固定部材との外観斜視図。
【図４】ファンモータが固定部材本体に仮支持されている時のファンモータ固定部材の縦断面図。
【図５】（ａ）ファンモータが固定部材本体に固定された後のファンモータ固定部材を、ファンモータ固定部材の正面側から見た場合の図。  （ｂ）ファンモータが固定部材本体に固定された後のファンモータ固定部材の縦断面図。
【図６】固定部材本体、上部仮支持部及び下部仮支持部が一体形成される過程を説明するための図。
【符号の説明】
【００５３】
１  空気調和装置
３  室外機
３２  室外熱交換器
３５  ファン
３６  ファンモータ
３６ａ  回転軸
３６ｂ，３６ｃ，３６ｄ，３６ｅ  固定部
３６１  ワイヤハーネス
３７  ファンモータ固定部材
３７１  固定部材本体
３７１ａ  開口
３７１ｂ，３７１ｃ，３７１ｄ，３７１ｅ  ネジ孔
３７２  下部仮支持部
３７３  上部仮支持部
３７３ａ  突出部
３７３ｂ  下方部
【図１】
2009097727.tif 000003
【図２】
2009097727.tif 000004
【図３】
2009097727.tif 000005
【図４】
2009097727.tif 000006
【図５】
2009097727.tif 000007
【図６】
2009097727.tif 000008